【手続補正書】
【提出日】平成26年8月4日(2014.8.4)
【手続補正１】
【補正対象書類名】特許請求の範囲
【補正対象項目名】全文
【補正方法】変更
【補正の内容】
【特許請求の範囲】
【請求項１】
酸素等の圧縮医療ガスを、ブロワ（１）により引き込まれる空気と混合するための混合器を備え、医療ガス用のガスライン（１０）と空気ライン（１１）を含み、これらが共通の呼吸ガスライン（１２）へと開放する人工呼吸器（１４）および／または麻酔器において、前記ガスライン（１０）の前記共通のガスライン（１２）への開口部は、前記ブロワ（１）の下流にあり、前記ガスライン（１０）の中にはガス流量を可変的に調整するための調整弁（８）、好ましくは比例制御弁が設置され、前記共通の呼吸ガスライン（１２）の中には、呼吸ガスの量を調整するための調整弁（４）、好ましくは比例制御弁が設置され、前記呼吸ガスライン（１２）の中には、前記呼吸ガス流量を測定するための流量センサ（３）が設置され、
前記ガスライン（１０）に、ガス流量を測定するための流量センサ（９）が設置されることを特徴とする人工呼吸器および／または麻酔器。
【請求項２】
請求項１に記載の人工呼吸器（１４）および／または麻酔器において、
入口側において、前記ガスライン（１０）の中にガス圧を低減させる減圧弁（６）が設置され、
その下流に前記調整弁（８）が配置され、
ガス圧を低減させる前記減圧弁（６）は好ましくは、可変的に調整できることを特徴とする人工呼吸器および／または麻酔器。
【請求項３】
請求項１または２に記載の人工呼吸器および／または麻酔器において、
前記ガスラインの中の、ガス圧を低減させる前記減圧弁（６）とガス流量を可変的に調整するための前記調整弁（８）の間に安全弁（７）が設置されることを特徴とする人工呼吸器および／または麻酔器。
【請求項４】
請求項１〜３のいずれか１項に記載の人工呼吸器および／または麻酔器において、
前記医療ガスライン（１０）の中の、医療ガスの圧力を減圧するように構成された可変的に調整可能な減圧弁（６）であって、前記ガスライン（１０）の中の前記調整弁（８）が、前記可変的に調整可能な減圧弁（６）の下流に配置される減圧弁（６）と、
前記医療ガスライン（１０）の中の安全弁（７）であって、前記減圧弁（６）と前記調整弁（８）の間に配置される安全弁（７）と、
前記空気ライン（１１）の中の、前記ブロワ（１）に向かうガスの還流を防止するように構成された逆止弁（２）であって、前記ブロワ（１）の下流に配置される逆止弁（２）と、
前記呼吸ガスライン（１２）の中に設置されたれガス圧センサ（５）と、
前記流量センサ（３，９）と、前記ガスライン（１０）の中の前記調整弁（８）とに動作的に接続され、前記ガスライン（１０）の中の前記調整弁（８）を、前記流量センサ（３，９）により測定された数値に応じて制御する制御ユニット（１３）であって、前記減圧弁（６）を制御するように動作的に接続され、かつ、前記調整弁（８）を前記呼吸サイクルに応じて制御するように動作的に接続された制御ユニット（１３）と、を含むことを特徴とする人工呼吸器および／または麻酔器。
【請求項５】
請求項１〜４のいずれか１項に記載の人工呼吸器および／または麻酔器において、
前記空気ライン（１１）の中の、前記ブロワ（１）と、前記空気ライン（１１）の前記呼吸ガスライン（１２）への開口部との間に、前記ブロワ（１）の方向へのガスの還流を防止する逆止弁（２）が設置されることを特徴とする人工呼吸器および／または麻酔器。
【請求項６】
請求項１〜５のいずれか１項に記載の人工呼吸器および／または麻酔器において、
前記呼吸ガスライン（１２）の中の出口側にガス圧センサ（５）が設置されることを特徴とする人工呼吸器および／または麻酔器。
【請求項７】
請求項１〜６のいずれか１項に記載の人工呼吸器および／または麻酔器において、
前記呼吸ガスライン（１２）への医療ガスの流れは、前記ガスライン（１０）に入る、減圧された可能性のあるガスの固有の圧力のみによって起こされることを特徴とする人工呼吸器および／または麻酔器。
【請求項８】
請求項１〜７のいずれか１項に記載の人工呼吸器および／または麻酔器において、
前記人工呼吸器および／または麻酔器（１４）の前記調整弁（８）と前記流量センサ（３、９）は制御ユニット（１３）に接続され、これが前記調整弁（８）を、前記ガスライン（１０）の中の前記流量センサ（９）と前記呼吸ガスライン（１２）の中の前記流量センサ（３）の測定値に応じて制御することを特徴とする人工呼吸器および／または麻酔器。
【請求項９】
請求項１〜８のいずれか１項に記載の人工呼吸器および／または麻酔器において、
前記制御ユニット（１３）が、ガス圧を低減させる前記減圧弁（６）および／または、ガス流量を呼吸サイクルに応じて可変的に調整する前記調整弁（８）を制御することを特徴とする人工呼吸器および／または麻酔器。
【請求項１０】
呼吸ガスが、酸素等の圧縮医療ガスをブロワ（１）によって搬送される空気と混合することによって供給され、医療ガスのためのガスライン（１０）と空気ライン（１１）を有し、これらが共通のガスライン（１２）へと開放する人工呼吸器および／または麻酔器の操作方法において、
前記医療ガスの前記共通の呼吸ガスライン（１２）への供給が前記ブロワ（１）の下流で行われ、前記医療ガスの前記呼吸ガスライン（１２）への供給が前記ガスライン（１０）の中の調整弁（８）、好ましくは比例制御弁によって制御され、
前記呼吸ガスの量が、前記呼吸ガスライン（１２）の中の調整弁（４）、好ましくは比例制御弁により調整されることを特徴とする方法。
【請求項１１】
請求項１０に記載の方法において、
前記医療ガスの前記呼吸ガスライン（１２）への流れが、前記ガスライン（１０）に入る、減圧された可能性のあるガスの固有の圧力のみによって起こされること、および／または
前記ガスライン（１０）の中の調整弁（８）が、前記ガスライン内に設置された流量センサ（９）と前記呼吸ガスライン（１２）に設置された流量センサ（３）の測定値に応じて制御されること
を特徴とする方法。
【請求項１２】
請求項１０または１１に記載の方法において、
前記流量センサ（３、９）の測定値がリアルタイムで評価され、相互に関連付けられ、前記調整弁（８）が前記測定値の処理に応じてリアルタイムで制御されること、および／または、
好ましくは、前記ガスライン（１０）の中の前記調整弁（８）の制御が、呼吸サイクルに応じて行われること、および／または、
好ましくは、呼吸サイクルが、前記呼吸ガスライン（１２）の中の出口側に配置されたガス圧センサ（５）によって判断されること
を特徴とする方法。
【請求項１３】
請求項１０〜１２のいずれか１項に記載の方法において、
前記ガスライン（１０）において、入口側の前記医療ガスの圧力が、前記調整弁（８）に関して上流に配置された弁（６）によって減圧されることを特徴とする方法。
【請求項１４】
請求項１０〜１３のいずれか１項に記載の方法において、
呼吸サイクルに応じてガス圧を低減させる前記減圧弁（６）は、出口側において前記呼吸ガスライン（１２）で呼吸が検出されない時に前記弁（６）が絞られるように制御されることを特徴とする方法。
【請求項１５】
請求項１０〜１４のいずれか１項に記載の方法において、
前記空気ライン（１１）への前記医療ガスの還流が、前記ブロワ（１）と、前記空気ライン（１１）の前記呼吸ガスライン（１２）への開口部との間に配置された逆止弁（２）によって防止されることを特徴とする方法。
【手続補正２】
【補正対象書類名】明細書
【補正対象項目名】００１７
【補正方法】変更
【補正の内容】
【００１７】
国際公開第２００８／０９２０２１（Ａ２）号パンフレットは、酸素等の圧縮医療ガスをブロワによって引き込まれる空気と混合するための混合器を備えるシステムを開示しており、これは、医療ガスのためのガスラインと空気ラインを有し、これらは共通の呼吸ガスラインへと開放する。ガスラインの共通のガスラインへの開口部は、ブロワより下流にある。ガスラインの中には、ガス流量を可変的に調整する調整弁が設置され、共通の呼吸ガスラインの中には、呼吸ガスの量を調整する調整弁が設置される。呼吸ガスラインには、呼吸ガスの流量を測定する流量センサが設置される。米国特許出願公開第２００９／０２４１９６０（Ａ１）号明細書は、このような種類で別の高圧低圧二重の呼吸システムを開示している。国際公開第１９９８／００９６７７（Ａ１）号パンフレットは、モジュール式酸素供給アセンブリを備える圧力保持呼吸器内の酸素混合装置を開示している。この装置は、酸素用ガスラインと空気ラインを有し、これらは共通の呼吸ガスラインへと開放する。空気は、空気ライン内に設けられたブロワによって内部に引き込まれる。酸素の過剰流量の低減（すなわち、排出）は、いずれかの圧力逃し弁より下流、または周囲雰囲気内に空気および／またはガスを逃がすことができる他の部品より下流のポイントにおいて、人工呼吸装置の全体空気流内に酸素を吐出することによって実現する。国際公開第１９９９／０１３９３２（Ａ１）号パンフレットは、侵襲モードおよび非侵襲モードで動作できる人工呼吸器システムを開示している。このシステムは、酸素用ガスラインと空気ラインを含み、これらは共通の呼吸ガスラインへと開放する。ガスラインは、酸素フローバルブからの酸素の流量を測定する酸素流量センサを含む。この測定値は、酸素フローバルブの閉ループ制御に利用される。空気ラインは、ブロワのバルブからの空気の流量を測定する空気流量センサを含む。この測定値は、ブロワのバルブの閉ループ制御に利用される。
【手続補正３】
【補正対象書類名】明細書
【補正対象項目名】００１８
【補正方法】変更
【補正の内容】
【００１８】
【特許文献１】米国特許第４０２２２３４号明細書
【特許文献２】米国特許第４５８７９６７号明細書
【特許文献３】米国特許第５３８３４９９号明細書
【特許文献４】国際公開第２００８／０９２０２１号パンフレット
【特許文献５】米国特許出願公開第２００９／０２４１９６０号明細書
【特許文献６】国際公開第１９９８／００９６７７号パンフレット
【特許文献７】国際公開第１９９９／０１３９３２号パンフレット
【手続補正４】
【補正対象書類名】明細書
【補正対象項目名】００４５
【補正方法】変更
【補正の内容】
【００４５】
人工呼吸器および／または麻酔器にはもちろん、出力ユニットまたは表示装置、コンピュータ、制御プログラムおよび内部センサのほか、当然のことながら患者のための少なくとも１つの換気接続手段を設けることができる。
本発明の目的は、下記を含む呼吸装置によっても達成され、本呼吸装置は、医療ガスラインと、空気ラインと、共通の呼吸ガスラインであって、前記医療ガスラインと前記空気ラインの両方が前記呼吸ガスラインへと開放しているような共通の呼吸ガスラインと、前記空気ライン内のブロワであって、前記空気ラインが前記ブロワの下流で前記共通の呼吸ガスラインへと開放しているようなブロワと、前記医療ガスラインの中の、医療ガス流量を可変的に調整するように構成された第一の調整弁と、前記共通の呼吸ガスラインの中の、呼吸ガスの量を調整するように構成された第二の調整弁と、前記共通の呼吸ガスラインの中の、呼吸ガスの流量を測定するように構成された第一の流量センサと、前記医療ガスラインの中の、医療ガスの流量を測定するように構成された第二の流量センサと、を備える。
好ましくは、前記第一の調整弁は比例制御弁であり、前記第二の調整弁は比例制御弁である。
好ましくは、呼吸装置は、前記医療ガスラインの中の、医療ガスの圧力を減圧するように構成された可変的に調整可能な減圧弁をさらに備え、前記第一の調整弁は前記可変的に調整可能な減圧弁の下流に配置される。
好ましくは、呼吸装置は、前記医療ガスラインの中の安全弁をさらに備え、前記安全弁は前記減圧弁と前記第一の調整弁の間に配置される。
好ましくは、呼吸装置は、前記第一と第二の流量センサと、前記第一の調整弁とに動作的に接続され、前記第一の調整弁を、前記第一と第二の流量センサにより測定される数値に応じて制御する制御ユニットをさらに備える。
好ましくは、前記制御ユニットが前記減圧弁を制御する。
好ましくは、前記制御ユニットが前記第一の調整弁を呼吸サイクルに応じて制御する。
好ましくは、前記空気ラインの中の、前記ブロワに向かうガスの還流を防止するように構成された逆止弁をさらに備える。
好ましくは、前記逆止弁は前記ブロワの下流に設置される。
好ましくは、呼吸装置は、前記呼吸ガスラインの中に設置されたれガス圧センサをさらに備える。
好ましくは、呼吸装置は、前記第一と第二の流量センサと、前記第一の調整弁とに動作的に接続され、前記第一の調整弁を、前記第一と第二の流量センサにより測定された数値に応じて制御する制御ユニットをさらに備える。
本発明の目的は、下記のステップを含む呼吸装置の操作方法によっても達成され、本操作方法は、ブロワによって空気を空気ラインに搬送するステップと、圧縮医療ガスを医療ガスラインに供給するステップと、前記搬送された空気と前記圧縮医療ガスを呼吸ガスラインの中で混合するステップと、前記呼吸ガスラインへの前記圧縮医療ガスの供給を第一の調整弁で制御するステップと、前記呼吸ガスラインからの呼吸ガスの量を、前記呼吸ガスラインの中の第二の調整弁により調整するステップと、を含む。
好ましくは、呼吸装置の操作方法において、前記第一の調整弁を、前記呼吸ガスラインの中の第一の流量センサにより測定された数値に応じて、および前記医療ガスラインの中の第二の流量センサにより測定された数値に応じて制御するステップをさらに含む。
好ましくは、呼吸装置の操作方法において、前記第一と第二の流量センサの測定値を評価し、相関させるステップと、前記第一の調整弁を、前記測定値を評価し、関連付けることに応じてリアルタイムで制御するステップと、をさらに含む。
好ましくは、呼吸装置の操作方法において、前記第一の調整弁を呼吸サイクルに応じて制御するステップをさらに含む。
好ましくは、呼吸装置の操作方法において、前記呼吸ガスラインの出口側のガス圧センサで呼吸サイクルを判断するステップをさらに含む。
好ましくは、呼吸装置の操作方法において、医療ガスの圧力を前記第一の調整弁の上流に設置された減圧弁により減圧するステップをさらに含む。
好ましくは、呼吸装置の操作方法において、前記減圧弁を呼吸サイクルに応じて、前記呼吸ガスラインにおいて呼吸されていないことが検出された時に、前記減圧弁が絞られるように制御するステップをさらに含む。
好ましくは、呼吸装置の操作方法において、前記ブロワと呼吸ガスラインの間に配置された逆止弁によって、前記空気ライン内への医療ガスの還流を防止するステップをさらに含む。
本発明の目的は、下記を含む呼吸装置によっても達成され、本呼吸装置は、医療ガスラインと、空気ラインと、共通の呼吸ガスラインであって、前記医療ガスラインと前記空気ラインの両方が前記呼吸ガスラインへと開放しているような共通の呼吸ガスラインと、前記空気ライン内のブロワであって、前記空気ラインが前記ブロワの下流（気流）で前記共通の呼吸ガスラインへと開放しているようなブロワと、前記医療ガスラインの中の、医療ガス流量を可変的に調整するように構成された第一の調整弁と、前記共通の呼吸ガスラインの中の、呼吸ガスの量を調整するように構成された第二の調整弁と、前記共通の呼吸ラインの中の、呼吸ガスの流量を測定するように構成された第一の流量センサと、前記医療ガスラインの中の、医療ガスの流量を測定するように構成された第二の流量センサと、前記医療ガスラインの中の、医療ガスの圧力を減圧するように構成された可変的に調整可能な減圧弁であって、前記第一の調整弁が前記可変的に調整可能な減圧弁の下流に設置されるような減圧弁と、前記医療ガスラインの中の安全弁であって、前記減圧弁と前記第一の調整弁の間に設置された安全弁と、前記空気ラインの中の、前記ブロワに向かうガスの還流を防止するように構成された逆止弁であって、前記ブロワの下流に配置された逆止弁と、前記呼吸ガスラインの中に設置されたガス圧センサと、前記第一と第二の流量センサと、前記第一の調整弁に動作的に接続され、前記第一の調整弁を、前記第一と第二の流量センサにより測定された数値に応じて制御し、前記減圧弁を制御するように動作的に接続され、また前記第一の調整弁を呼吸サイクルに応じて制御するように動作的に接続された制御ユニットと、を備える。